(57)【要約】【課題】  メンテンスが容易なフェンス、およびメンテンスを容易にし得るフェンス用の網状柵体の取付構造の提供。【解決手段】  支柱部材の取付面の前方に離間して配置された網状柵体の縦線材を保持する取付具が前記取付面に着脱可能に設けられ、前記取付具は前記取付面の上下方向所定部位に面当りさせて固定することで、取付具に設けられた挟持部が網状柵体の縦線材をその前後で挟持して圧着すべく移動するよう構成されている取付構造、および該取付構造を有するフェンス。【選択図】  図１
2010059636.tif 000002
【特許請求の範囲】
【請求項１】
フェンスを構成する支柱部材に網状柵体を取付けるための取付構造であって、前記支柱部材の取付面の前方に離間して配置された網状柵体の縦線材を保持する取付具が前記取付面に着脱可能に設けられ、前記取付具は前記取付面の上下方向所定部位に面当りさせて固定することで、取付具に設けられた挟持部が網状柵体の縦線材をその前後で挟持して圧着すべく移動するよう構成されていることを特徴とする網状柵体の取付構造。
【請求項２】
取付具は、取付面に面当り可能な第一底壁部を有する第一取付部材と、前記第一底壁部にその前面で重ねられる第二底壁部を有する第二取付部材との組合わせから構成され、第一取付部材と第二取付部材とは前後方向に相対的にスライド可能とされ、
挟持部は、第一底面部に一体に設けられるとともにその前方に配置されて縦線材を後部で保持する保持部と、第二底壁部に一体に設けられるとともにその前方に配置されて縦線材をその前部から後方へ向けて押圧可能な押圧部とから構成され、
取付面の後方側から第一底壁部および第二底壁部に締付ネジを挿通して該締付ネジの回転によって第二底壁部を後方へ引込むことで押圧部を後方へ引込み、第二底壁部が第一底壁部に圧着した際に、縦線材が保持部と押圧部とで圧着されるよう構成されていることを特徴とする請求項１記載の網状柵体の取付構造。
【請求項３】
支柱部材には、締付ネジを回転させた際に取付具の回転を抑制する回転抑制手段が設けられていることを特徴とする請求項２記載の網状柵体の取付構造。
【請求項４】
回転抑制手段は、取付面の左右方向一方の端部に設けられて前方に突出する一方の突部と、取付面の左右方向他方の端部に設けられて前方に突出する他方の突部とから構成されて、第一底壁部は一方の突部と他方の突部との間に装着されることを特徴とする請求項３記載の網状柵体の取付構造。
【請求項５】
挟持部は、取付具を取付面に取付けた際に取付面と実質的に平行な板壁状に形成されていることを特徴とする請求項１ないし請求項４の何れかに記載の網状柵体の取付構造。
【請求項６】
請求項１ないし請求項５の何れかに記載の網状柵体の取付構造を備えていることを特徴とするフェンス。
【発明の詳細な説明】
【技術分野】
【０００１】
本発明は、フェンスを構成する支柱部材に、網状柵体を取付けるための取付構造、および該取付構造によって支柱部材に網状柵体が取付けられたフェンスに関する。
【背景技術】
【０００２】
従来のフェンスとして、例えば下記特許文献１に示すものがある。これは、網状柵体と、支柱部材と、支柱部材に網状柵体を装着するための取付具とを有する。
このフェンスは、縦長である支柱部材の前面に網状柵体の端部の線材（縦線材および横線材）を重ね、取付具によって該線材を支柱部材の前面に引込むようにした取付構造部によって、支柱部材に網状柵体が固定されている。
【特許文献１】実公平３−５２３９２号公報
【発明の開示】
【発明が解決しようとする課題】
【０００３】
フェンスは一般的に屋外に設置され、風雨に晒される。上記従来のフェンスでは、取付構造部によって、線材を支柱部材の前面に引込んで固定するようにしている。このように、前面に固定されるものが縦横の複数の線材であるから、雨水等が支柱部材の前面と線材との隙間に入り込んで錆びると、支柱部材の前面の汚れが目立ち易くなる。また、前面に接触している線材もまた錆び易く、このため、支柱部材や網状柵体のメンテナンスの頻度が高くなってしまうとともに、その作業が大掛かりになる、といった課題があった。
【０００４】
そこで本発明は、メンテンスが容易なフェンス、およびメンテンスを容易にし得るフェンス用の網状柵体の取付構造の提供を目的とする。
【課題を解決するための手段】
【０００５】
本発明は、フェンスを構成する支柱部材に網状柵体を取付けるための取付構造であって、前記支柱部材の取付面の前方に離間して配置された網状柵体の縦線材を保持する取付具が前記取付面に着脱可能に設けられ、前記取付具は前記取付面の上下方向所定部位に面当りさせて固定することで、取付具に設けられた挟持部が網状柵体の縦線材をその前後で挟持して圧着すべく移動するよう構成されていることを特徴としている。
【０００６】
一般的にフェンスは、支柱部材、該支柱部材間に配置される網状柵体、および該網状柵体を支柱部材に着脱自在に取付ける（連結する）ための取付具から構成されており、上記構成の取付構造を用いて網状柵体を支柱部材に取付けるには、取付具を取付面の上下方向所定部位に面当りさせて固定することで、取付具の挟持部が網状柵体の縦線材をその前後で挟持するよう移動して圧着するから、網状柵体が取付具を介して支柱部材に保持される。
【０００７】
本発明の取付構造では、取付具は、取付面に面当り可能な第一底壁部を有する第一取付部材と、前記第一底壁部にその前面で重ねられる第二底壁部を有する第二取付部材との組合わせから構成され、第一取付部材と第二取付部材とは前後方向に相対的にスライド可能とされ、挟持部は、第一底面部に一体に設けられるとともにその前方に配置されて縦線材を後部で保持する保持部と、第二底壁部に一体に設けられるとともにその前方に配置されて縦線材をその前部から後方へ向けて押圧可能な押圧部とから構成され、取付面の後方側から第一底壁部および第二底壁部に締付ネジを挿通して該締付ネジの回転によって第二底壁部を後方へ引込むことで押圧部を後方へ引込み、第二底壁部が第一底壁部に圧着した際に、縦線材が保持部と押圧部とで圧着されるよう構成されていることを特徴としている。
【０００８】
上記構成において、第一取付部材の第一底壁部を取付面に面当りさせ、第二取付部材の第二底壁部を第一底壁部にその前面で重ね、取付面の後方側から第一底壁部および第二底壁部に締付ネジ（ビスやボルトを含む概念である）を挿通して締付ネジの回転によって第二底壁部を後方へ引込むことで押圧部を後方へ引込んで第二底壁部を第一底壁部に圧着させると、第一取付部材の保持部に対して第二取付部材の押圧部が後方へ移動して網状柵体の縦線材が保持部と押圧部とで前後で圧着され、網状柵体が取付具を介して支柱部材に保持される。
【０００９】
本発明の取付構造では、支柱部材には、締付ネジを回転させた際に取付具の回転を抑制する回転抑制手段が設けられていることを特徴としている。
この構成によれば、取付具を支柱部材に対して固定する際に、締付ネジを回転させても、回転抑制手段によって取付具の回転が抑制され、支柱部材に取付具を固定し易い。
【００１０】
本発明の取付構造では、回転抑制手段は、取付面の左右方向一方の端部に設けられて前方に突出する一方の突部と、取付面の左右方向他方の端部に設けられて前方に突出する他方の突部とから構成されて、第一底壁部は一方の突部と他方の突部との間に装着されることを特徴としている。
【００１１】
上記構成によれば、取付具を支柱部材に取付ける際に、取付具の第一底壁部を一方の突部と他方の突部との間に位置合わせし、締付ネジを回転させることによって取付具を取付面に固定する。
【００１２】
本発明の取付構造では、挟持部は、取付具を取付面に取付けた際に取付面と実質的に平行な板壁状に形成されていることを特徴としている。
上記構成のように、挟持部を板壁状に形成することで、その壁面に沿って、挟持する縦線材の左右方向の挟持位置の自由度があげられ、縦線材のピッチに対する対応性が向上する。
【００１３】
本発明のフェンスは、上記何れかに記載の網状柵体の取付構造を備えていることを特徴としている。
【発明の効果】
【００１４】
本発明の取付構造および該取付構造を有したフェンスによれば、支柱部材の取付面の前方に離間して配置された網状柵体の縦線材を保持する取付具が取付面に着脱可能に設けられているから、網状柵体の縦線材が支柱部材に接触することがなく、したがって支柱部材の錆の発生部分の領域が抑えられて、その分だけメンテンスの頻度を抑えることができるとともに、メンテナンス作業を容易にすることができる。
【発明を実施するための最良の形態】
【００１５】
以下、本発明の実施形態に係る網状柵体の取付構造を、フェンス全体の構成をふまえつつ、図面に基づいて説明する。図１はフェンスの要部斜視図、図２はフェンスの一部正面図である。また、図３はフェンスを構成する網状柵体の高さ方向の一部を省略した拡大側面図である。
【００１６】
これらの図に基づいて、まずフェンス１の全体構成を説明する。フェンス１は、複数個の網状柵体２（フェンスパネル）と、支柱部材３と、取付具４とを有する。
網状柵体２はその左右方向両側端部を、取付具４を介して支柱部材３に保持されている。
【００１７】
ここで、網状柵体２の構成を説明する。この実施形態におけるフェンス１では複数個の網状柵体２を有しているが、各網状柵体２は左右方向の長さ、および高さは同様なので、一個の網状柵体２について説明する。
網状柵体２は、複数本の縦線材５と複数本の横線材６との組合わせから構成され、縦線材５と横線材６とを溶接することで全体として格子状に形成され、該格子の目は正方形に形成されている。
網状柵体２を複数個設ける場合では、端部の網状柵体２の左右方向幅をその間の網状柵体２の左右方向幅に比べて小さくすることでフェンス１の左右設置長さを調節する場合もあるが、この場合でも縦線材５の本数と横線材６の左右方向長さが異なるだけで、他の構成は間に配置する網状柵体２と同様である。そして、網状柵体２の左右方向長さが短ければその分だけ、同じ外力が網状柵体２に働いた場合の網状柵体２全体の撓み量が少なくなる（変形しにくくなる）。換言すれば、網状柵体２の捩れや歪を低減させることが可能である。また、網状柵体２の重さが小さくなる分だけ取付具４に働く荷重、取付具４によって取付けられる部分の縦線材５に働く外力も小さくなって、取付具４の損傷や縦線材５の破損を効果的に防止することができる。
縦線材５と横線材６の前後位置関係は、本実施形態では、縦線材５が前位置にあって、その後部位置に横線材６が固着されている。なお、縦線材５と横線材６の前後位置関係は逆であってもよい。
【００１８】
図１に示すように、縦線材５の上部には、支柱部材３の上端部に載置される載置用線材部７が設けられている。
図３に示すように、載置用線材部７は、縦線材５の上部を後方へ水平に折曲した後方折曲部８と、後方折曲部８の後端部を下方へ折曲した下方折曲部１０と、下方折曲部１０の下端部を前方へ向けて折曲した前方折曲部１１とから一体に形成されている。
載置用線材部７のうち、前方折曲部１１が支柱部材３の上端面に後述の被覆部材１２を介して設置（仮置き）される。なお、前方折曲部１１は後方折曲部８に比べてその前後長さが短くなる設定されている。また、横線材６は、載置用線材部７にも、載置用線材部７で囲まれる領域側に複数本固着されている。
網状柵体２の下端部には、縦線材５を後方へ折曲した下側後方折曲部９が形成されている。下側後方折曲部９の後端上部には横線材６が固着されている。
【００１９】
次に、支柱部材３の構成を説明する。図４は第一支柱部材の断面図、図５は第二支柱部材の断面図である。
これらの図および図１、図２に示すように、支柱部材３はアルミニウムの押出成形により中空状の長尺物として形成され、該長尺物を所望の長さに切断することで形成されている。フェンス１の構成部品としての支柱部材３は、切断面（長手方向に直交する断面）がＴ字形状の第一支柱部材３Ａと、切断面がＬ字形状の第二支柱部材３Ｂとから構成されている。
第一支柱部材３Ａおよび第二支柱部材３Ｂともに、網状柵体２を保持するための前記取付具４を着脱可能に取付ける取付面１３を有した取付壁部１４と、取付壁部１４から取付面１３に対して直交する方向、すなわち前方に突出する突出面１５を有する突壁部１６とを備えている。
【００２０】
第一支柱部材３Ａについて詳述すると、第一支柱部材３Ａは、図２に示すように、左右方向中間に設けられる網状柵体２を保持するものである。第一支柱部材３Ａは、取付壁部１４および突壁部１６ともに断面略長方形形状に形成され、突壁部１６は取付壁部１４の左右方向中心部位に一体的に前方に突出するよう形成され、取付壁部１４と突壁部１６とでは、突壁部１６の厚みｔ１が取付壁部１４の厚みｔ２に比べて小さく形成されている。
取付壁部１４および突壁部１６のうち、取付壁部１４にのみ中空に形成した中空部１７が形成されている。この中空部１７の内面左右方向両側には、蟻溝１８が形成されている。
なお、強度（剛性）が許されるなら突壁部１６もまた中空に形成してもよい。
【００２１】
取付壁部１４の左右両側壁面には、上下高さ方向に離間した所定位置に、前後方向に貫通して後述の締付ネジ２０が挿通される挿通孔２１が形成されている。この挿通孔２１の上下高さ位置は、取付具４を取付ける位置に設定される。
取付壁部１４の前面（突壁部１６を形成している側）が、取付具４の前記取付面１３であり、これは左右方向の平面に形成されている。取付壁部１４の背面２２もまた、左右方向の平面に形成されている。
取付壁部１４の左右方向両側端部には、取付面１３から、さらにわずかに前方に突出する一方の突部２３が一体的に形成されている。この一方の突部２３は支柱部材３の上下高さ方向全域にわたって突条状に形成されている。一方の突部２３を形成することによって、支柱部材３の剛性を向上させている。一方の突部２３どうしの左右の対向面２４は前後方向の平面に形成されている。
【００２２】
取付壁部１４の左右方向両側端部には、背面２２から、さらにわずかに後方に突出する他方の突部２５が一体的に形成されている。この他方の突部２５は支柱部材３の上下高さ方向全域にわたって突条状に形成されている。他方の突部２５を形成することによって、支柱部材３の剛性を向上させている。
一方の突部２３と他方の突部２５とでは、一方の突部２３の突出量の方が他方の突部２５に比べて大きくなるよう形成されている。
【００２３】
取付壁部１４の左右方向両側の側面１４Ａにおいて、一方の突部２３に対応する部分は左右方向側中心に向けてわずかに傾斜した一方の傾斜面２６とされており、他方の突部２５に対応する部分もまた左右方向側中心に向けてわずかに傾斜した他方の傾斜面２７とされている。一方の傾斜面２６と他方の突部２５との間は、互いに前後方向で略平行な平面（それぞれ、わずかに左右方向に突出する円弧面）に形成されている。
【００２４】
突壁部１６の突出面１５は、互いに前後方向に平行な平面であり、突壁部１６の先端部には、左右方向にわずかに膨出する先端突部２８が形成されている。先端突部２８と突出面１５とは傾斜湾曲面３０によって連続されている。この先端突部２８は、支柱部材３の剛性を向上させるべく設けられている。
このようにして、第一支柱部材３Ａでは、取付面１３および突出面１５は、第一支柱部材３Ａの左右方向長さ中心に対して両方側に設けられている。
【００２５】
第二支柱部材３Ｂを説明すると、これは図２に示すように、端部で網状柵体２を保持するものである。
第二支柱部材３Ｂは、突壁部１６に対して取付壁部１４が左右方向一方側にのみ存在する構成である。換言すれば、第一支柱部材３Ａの取付壁部１４の左右方向の長さが略半分であり、その取付壁部１４の左右方向一端側から前方に突壁部１６が突出するよう、一体的に形成されている。この場合も、中空部１７を取付壁部１４に有し、中空部１７の内面左右方向両側には、蟻溝１８が形成されている。
取付壁部１４には、上下高さ方向に離間した所定位置に、前後方向に貫通して締付ネジ２０が挿通される挿通孔２１が形成されている。この挿通孔２１の上下高さ位置は、取付具４を取付ける位置に設定される。第二支柱部材３Ｂでは、取付面１３および突出面１５は左右方向の何れかにのみ設けられている。
その他の構成は第一支柱部材３Ａと同様であるので、同一の符号を付してその説明を省略する。
【００２６】
図６ないし図９に示すように、支柱部材３の上端面を覆うように取付けられる被覆部材１２が設けられている。
図６は被覆部材１２の平面図、図７は正面図、図８は側面図、図９は底面図である。
被覆部材１２は、第一支柱部材３Ａ用と第二支柱部材３Ｂ用がある。何れの被覆部材１２も、それぞれ第一支柱部材３Ａの断面形状、第二支柱部材３Ｂの断面形状に相対する平面形状に形成されている。
第一支柱部材３Ａ用の被覆部材１２について説明すると、これは、取付壁部１４を被覆する取付壁被覆部３５と、突壁部１６を被覆する突壁被覆部３６とを有し、これらが一体に、アルミニウム合金や亜鉛合金等の金属、あるいは合成樹脂から略Ｔ字の板状に形成されている。図９に示すように、被覆部材１２の下面外周部には、第一支柱部材３Ａの上端外周部に沿うよう外嵌するリブ３７が形成されている。
【００２７】
図６ないし図８に示すように、取付壁被覆部３５上の左右方向両側端部には、上方に立ち上がって、網状柵体２の載置用線材部７を載置した際にこれが横方向に位置ずれするのを防止するずれ防止部３８が形成されている。
但し、被覆部材１２に網状柵体２の載置用線材部７を載置するとは、この場合は後述するように、施工（フェンス１の組立）の際の仮置きを意味する。
取付壁被覆部３５の左右方向両側部には、取付ネジ３９（例えば皿ネジ）の頭部が挿入されるネジ頭部孔４１が形成されている。ネジ頭部孔４１は、蟻溝１８に上下方向で対向する位置に形成されている。
なお、図示しないが、第二支柱部材３Ｂ用の被覆部材もまた、第二支柱部材３Ｂの断面形状に合致する相対形状の板状に形成されて、ずれ防止部、リブ、ネジ頭部孔を備える。
蟻溝１８は、中空部１７の任意の位置（例えば左右方向中心位置にのみ）に形成し、ネジ頭部孔４１もまた蟻溝１８に対向する部分にのみ形成することも好ましい。このようにすることにより、蟻溝１８に取付ネジ３９を螺合して支柱部材３に被覆部材１２を装着する際に、取付ネジ３を複数個取付る作業に比べて容易になる。
【００２８】
次に、図１０ないし図１９に基づいて、支柱部材３に網状柵体２を保持させるよう取付ける取付構造として、その構成部品である取付具４の構成を説明する。
図１０ないし図１２は取付具４および網状柵体２の取付工程を示す平面図である。図１３および図１４は、それぞれ取付具４を構成する第一取付部材の側面図および平面図である。図１５および図１６は、それぞれ取付具４を構成する第二取付部材の側面図および平面図である。図１７ないし図１９は取付具４の動きを示す側面図である。
【００２９】
図１０ないし図１２に示すように、取付具４は、支柱部材３の取付面１３の前方に離間して網状柵体２の縦線材５を保持するものであって、支柱部材３の取付面１３に締付ネジ２０を介して着脱自在に設けられる。したがって、前記取付構造として、支柱部材３および取付具４を有する。
【００３０】
取付具４は、取付面１３の上下方向所定部位に面当りさせて固定すると、その固定動作に伴って、挟持部４５が網状柵体２の縦線材５（端部の縦線材５ａ）をその前後で挟持して圧着させることができるよう構成されている。
【００３１】
さらに具体的に説明すると、取付具４は、支柱部材３の所定の上下方向高さ位置となるよう上下方向に間を置いて配置されるものである。取付具４は支柱部材３の取付面１３に面当り可能な第一底壁部５０を有する第一取付部材５１と、第一底壁部５０にその前面で重ねられる第二底壁部５２を有する第二取付部材５３との組合わせから構成されている。この第一取付部材５１および第二取付部材５３ともに、所定の上下高さに形成された一枚の金属板を曲げ加工することで、全体概略形状に形成される。
取付具４では、第一取付部材５１と第二取付部材５３とが組合わされた状態で、前後方向（ＦＲ）に相対的にスライド可能とされ、取付具４は、第一取付部材５１と第二取付部材５３とを前後方向にスライドさせるためのスライド手段を有する。
挟持部４５は、第一底壁部５０に一体に設けられるとともにその前方に配置されて縦線材５を後部で保持する保持部５５と、第二底壁部５２に一体に設けられるとともにその前方に配置されて縦線材５をその前部から後方へ向けて押圧可能な押圧部５６とから構成されている。
【００３２】
第一取付部材５１において、第一底壁部５０および保持部５５は左右方向に沿ってしかも平行であり、第一底壁部５０および保持部５５は、第一連結部６０を介して一体に形成されている。第一底壁部５０の後面５０ａは左右方向の平面であり、後面５０ａは取付面１３と面当りすることができる。
第一連結部６０は、後側折曲部６１、中程折曲部６２、前側折曲部６３の三つの折曲部から形成されている。後側折曲部６１は第一底壁部５０の左右方向一端側（図においては左方向一端側）から前方へ向けて折曲されており、中程折曲部６２は後側折曲部６１の前端部から支柱部材３の突壁部１６側（図においては右方向）に折曲されており、前側折曲部６３は中程折曲部６２の突壁部１６側端部から前方へ向けて折曲されている。
保持部５５は前側折曲部６３の前端部から突壁部１６に対して離れる方向（図においては左側）に折曲されて形成されている。
後側折曲部６１および前側折曲部６３は、第一取付部材５１を取付面１３に取付けた状態において、突壁部１６の突出面１５に沿う。さらに保持部５５の先端部は前方に折曲されることで、第一抜止片６５が形成されている。保持部５５の前面である保持面６６は、縦線材５を位置決めし易いように、波形状に形成されている。
【００３３】
第二取付部材５３において、第二底壁部５２と押圧部５６とは左右方向に沿ってしかも平行であり、第二底壁部５２と押圧部５６とは、第二連結部７０を介して一体に形成されている。第二連結部７０は第二底壁部５２と押圧部５６をその突壁部１６側端部で連結する板部として構成されて、第二底壁部５２と押圧部５６とを前後で連結している。さらに押圧部５６の先端部は後方に折曲されることで、第二抜止片７１が形成されている。押圧部５６の背面である押圧面７２は左右方向の平面に形成されている。また、第二連結部７０の突出面１５側の側面７０ａは平坦面とされて、第二連結部７０は、第二取付部材５３を取付面１３に取付けた状態において、突壁部１６の突出面１５に沿う。
【００３４】
第一抜止片６５と第二抜止片７１とは、折曲方向は反対であるがその前後方向長さは略同一に形成されており、第一取付部材５１と第二取付部材５３とを組合せた際に、第二抜止片７１は第一抜止片６５に比べて突出面１５から離れて位置するよう構成され、第一取付部材５１と第二取付部材５３とを組合せた際に、第二抜止片７１と第一抜止片６５とは左右方向で対向するよう構成されている。
なお、前記中程折曲部６２の前後方向長さは、第二連結部７０に比べて短く設定されている。
【００３５】
第一取付部材５１と第二取付部材５３とを前後方向にスライドさせるための前記スライド手段を説明する。
スライド手段は、第一取付部材５１の中程折曲部６２に設けられた案内爪７５，７６として構成されている。案内爪７５，７６は、中程折曲部６２の上端部および下端部に、それぞれ突出面１５側に折曲された厚み確保用折曲部７７，７８と、この厚み確保用折曲部７７，７８の先端部に、上下方向で対向するよう折曲された押さえ部８０，８１とから一体的に形成されている。各案内爪７５，７６の押さえ部８０，８１は、前後方向に離間して対で設けられている。
この押さえ部８０，８１の左右側面は平面とされ、突出面１５側の側面８０ａ，８１ａが突出面１５に面当りして、かつ摺動可能となっている。
【００３６】
第二取付部材５３の第二連結部７０の前後方向途中には、各案内爪７５，７６の押さえ部８０，８１と相対形状の切欠８２，８３が前後方向に離間して、第二連結部７０の上下端面から切欠くようにして形成されている（例えば図１５参照）。
厚み確保用折曲部７７，７８の左右方向の厚みは、押さえ部８０，８１を切欠８２，８３に通過させて第一取付部材５１の中程折曲部６２と第二取付部材５３の第二連結部７０とを左右方向で重ねた状態で第二連結部７０の左右方向の厚みよりわずかに大きくなるよう設定されている。
【００３７】
押さえ部８０，８１を切欠８２，８３に通過させて第一取付部材５１の中程折曲部６２と第二取付部材５３の第二連結部７０とを左右方向で重ねた状態で、締付ネジ２０が挿抜自在な挿通孔８４が、第一取付部材５１の第一底壁部５０に形成されるとともに、第二取付部材５３の第二底壁部５２に締付ネジ２０が螺合するネジ孔８５が形成されている。
【００３８】
次に、上記構成のフェンス１を施工する方法について説明する。支柱部材３は長尺に形成したのものを、必要な高さに応じて切断し、フェンス１を設置する場所にコンクリート基礎等を用いて立設する。この場合、用いる網状柵体２の左右方向幅に応じて、支柱部材３の左右方向離間間隔を設定する。また、網状柵体２を二個並べる場合では、中心に第一支柱部材３Ａを配置し、両側には第二支柱部材３Ｂを配置する。網状柵体２を三個以上並べる場合等において、何れにしても端部に配置する支柱部材３は第二支柱部材３Ｂであり、その間に配置する支柱部材３は第一支柱部材３Ａとする。
【００３９】
各支柱部材３の上端面には、被覆部材１２をそれぞれ設置しておく。被覆部材１２は、取付ネジ３９をネジ頭部孔４１に挿入するようにして、取付ネジ３９を蟻溝１８に螺合することで、各支柱部材３の上端面に被覆部材１２を容易に固定することができる。アルミニウムの押出し成形による長尺物を切断すると、その切断面に鋭利な部分が露呈する可能性が考えられるが、上記のように、各支柱部材３の上端面が切断面であったとしても、被覆部材１２で被覆することによって、安全性を確保することができる。また、被覆部材１２を設置することにより、中空部１７に雨水等が侵入するのを抑制することができる。
【００４０】
網状柵体２については、これを、載置用線材部７および下側後方折曲部９を含めて、必要な左右方向幅および上下方向高さに形成しておく。この際、縦線材５および横線材６で形成される桝目は正方形となるようにしておく。また横線材６の左右端部は、左右端部の縦線材５ａから左右方向に突出しないように設けておく。
【００４１】
上記の網状柵体２は、載置用線材部７の前方折曲部１１を支柱部材３どうしの被覆部材１２の取付壁被覆部３５に載置することで、支柱部材３間に仮置きすることができる。このとき、被覆部材１２には、ずれ防止部３８を設けているから、仮置きした網状柵体２が左右方向に移動させる力が働いたとしても、前方折曲部１１がずれ防止部３８に係止して、網状柵体２が位置ずれてしまうのを抑制することができる。
取付具４は、第一取付部材５１と第二取付部材５３とを組付けた組品としておく。この場合、第二取付部材５３の切欠８２，８３に第一取付部材５１の押さえ部８０，８１を通過させて（図１７参照）、第一取付部材５１の中程折曲部６２と第二取付部材５３の第二連結部７０とを重ねるようにする。そうすると、第二底壁部５２が第一底壁部５１と中程折曲部６２との間に入る。
【００４２】
続いて、中程折曲部６２と第二連結部７０とを摺動するようにして第一取付部材５１と第二取付部材５３とを位置ずれさせて、第二取付部材５３の切欠８２，８３と第一取付部材５１の押さえ部８０，８１とが対向する位置にないようにする（図１８または図１９参照）。
このようにすることで、中程折曲部６２と第二連結部７０とが離れる方向に第一取付部材５１と第二取付部材５３とを離そうとすると、第二連結部７０の側面７０ａが第一取付部材５１の押さえ部８０，８１に当る（係止する）から、第一取付部材５１と第二取付部材５３とが容易に外れてしまうといった状態を抑制することができ、しかも第一取付部材５１と第二取付部材５３とがスライド手段によって、相対的にスライド可能となる。
【００４３】
このようにして組品とした取付具４を、支柱部材３に対して、その挿通孔２１が形成されている上下高さ位置で側方から装着する。この場合、第一取付部材５１の保持部５５の第一係止片６５と第二取付部材５３の押圧部５６の第二係止片７１との隙間から、端部の縦線材５ａが保持部５５と押圧部５６との間に入れ、取付具４を水平面内で回転させるようにして側面８０ａ，８１ａを突出面１５に当てるようにし、取付具４を後方へ引くようにして、支柱部材３の取付面１３に第一底壁部５０の後面５０ａを面当りさせる。このようにすると、第一底壁部５０が支柱部材３の突出面１５と突部２３の対向面２４との間に挟まれた状態となる（図１０ないし図１３参照）。
【００４４】
続いて、締付ネジ２０を挿通孔２１に挿通し、さらに第一底壁部５０の挿通孔８４に挿通するとともに、第二底壁部５２のネジ孔８５に螺合する。このようにして締付ネジ２０を回転させると、締付ネジ２０がネジ孔８５の雌ネジに螺入し、締付ネジ２０はその頭部が取付壁部１４の背面２２に当接することで前進しないから、中程折曲部６２と第二連結部７０とが摺動するようにして、第二底壁部５２が第一底壁部５１と中程折曲部６２との間を後方へ移動し、また第二連結部７０が案内爪７５，７６の内面で案内されて、第二底壁部５２すなわち第二取付部材５２が後方へ引き寄せられる。
【００４５】
さらに締付ネジ２０を回転させることによって、押圧部５６が保持部５５に引き寄せられ（図１１参照）、端部の縦線材５ａが保持部５５の保持面６６と押圧部５６の押圧面７２によって挟持されて、保持される。このとき、第一抜止片６５と第二抜止片７１とは互いに左右方向に位置ずれしているから、縦線材５ａを挟持する際には干渉しあわない（図１２参照）。また、端部の縦線材５ａが保持部５５の保持面６６と押圧部５６の押圧面７２によって挟持されて保持された際に、第一底壁部５１に第二底壁部５２が当接（圧接）するよう構成することが好ましい。
【００４６】
また、締付ネジ２０を回転させると、取付具４もまたその回転方向の力を受けるが、取付具４においてはその第一底壁部５０が、突出面１５と対向面２４との間に挟まれた状態となっているから、突出面１５と対向面２４（突壁部１６と突部２３）とが回転抑制手段として機能する。
上記のような取付具４の取付作業を、第一支柱部材３Ａ、第二支柱部材３Ｂについて、挿通孔２１を形成した部位において行って、各取付具４によって端部の縦線材５ａを取付具４の挟持部４５で挟持して保持することで、フェンス１を施工することができる。
【００４７】
上記構成のフェンス１では、網状柵体２、特に縦線材５は支柱部材３に直接的に保持（接触）されておらず、支柱部材３に、その上下高さ方向に間隔を置いて配置した取付具４を介して網状柵体２が保持されているから、支柱部材３に接触する部材として取付具４ということになる。したがって、縦線材のように上下高さ方向に長い部材が支柱部材に接触している場合に比べて、錆等の汚れが発生する領域を狭めることができる。このため、メンテナンスの頻度を抑えることができるとともにその作業もまた、容易になる。
また、取付壁部１４と突壁部１６とでは、突壁部１６の厚みｔ１を取付壁部１４の厚みｔ２に比べて小さく形成し、取付壁部１４には中空部１７を形成しているから、その分だけ支柱部材３を軽量化させることができ、扱い易い。
【００４８】
さらに、網状柵体２の載置用線材部７を被覆部材１２に仮置きした状態で取付具４を支柱部材３に組付けることも可能であるため、その分だけ施工性に優れる。
さらに、支柱部材３はその後部に左右幅の広い取付壁部１４を配置し、前部に左右幅の狭い突壁部１６を配置しているから、支柱部材３の存在感がうすれ、美観にも優れたフェンス１となる。また、矩形枠形状に形成した載置用線材部７を設けたことや下側後方折曲部９を設けたことにより、網状柵体２に、全体としてのボリューム感や安定感が付与されており、この点においても美観に優れる。
【図面の簡単な説明】
【００４９】
【図１】本発明の実施形態を示すフェンスの要部斜視図
【図２】同じくフェンスの一部正面図
【図３】同じくフェンスを構成する網状柵体の高さ方向の一部を省略した拡大側面図
【図４】同じく第一支柱部材の断面図
【図５】同じく第二支柱部材の断面図
【図６】同じく被覆部材の平面図
【図７】同じく被覆部材の正面図
【図８】同じく被覆部材の側面図
【図９】同じく被覆部材の底面図
【図１０】同じく保持部と押圧部とが最も離れた状態の平面図
【図１１】同じく保持部に押圧部が近付いた状態の平面図
【図１２】同じく保持部と押圧部とで縦線材を挟持した状態の平面図
【図１３】同じく取付具を構成する第一取付部材の側面図
【図１４】同じく第一取付部材の平面図
【図１５】同じく取付具を構成する第二取付部材の側面図
【図１６】同じく第二取付部材の平面図
【図１７】同じく取付具の動きを示す説明図で、図１１に相当する側面図
【図１８】同じく図１０に相当する、取付具の側面図
【図１９】同じく図１２に相当する、取付具の側面図
【符号の説明】
【００５０】
１…フェンス、２…網状柵体、３…支柱部材、３Ａ…第一支柱部材、３Ｂ…第二支柱部材、４…取付具、５…縦線材、５ａ…縦線材、６…横線材、７…載置用線材部、８…後方折曲部、９…下側後方折曲部、１１…前方折曲部、１２…被覆部材、１３…取付面、１４…取付壁部、１５…突出面、１６…突壁部、１７…中空部、１８…蟻溝、２０…締付ネジ、２１…挿通孔、２２…背面、２３…突部、２４…対向面、３５…取付壁被覆部、３８…ずれ防止部、３９…取付ネジ、４１…ネジ頭部孔、４５…挟持部、５０…第一底壁部、５０ａ…後面、５１…第一取付部材、５２…第二底壁部、５３…第二取付部材、５５…保持部、５６…押圧部、６２…中程折曲部、６５…第一抜止片、６６…保持面、７０…第二連結部、７０ａ…側面、７１…第二抜止片、７２…押圧面、７５，７６…案内爪、８０，８１…押さえ部、８０ａ，８１ａ…側面、８２，８３…切欠、８４…挿通孔、８５…ネジ孔
【図１】
2010059636.tif 000003
【図２】
2010059636.tif 000004
【図３】
2010059636.tif 000005
【図４】
2010059636.tif 000006
【図５】
2010059636.tif 000007
【図６】
2010059636.tif 000008
【図７】
2010059636.tif 000009
【図８】
2010059636.tif 000010
【図９】
2010059636.tif 000011
【図１０】
2010059636.tif 000012
【図１１】
2010059636.tif 000013
【図１２】
2010059636.tif 000014
【図１３】
2010059636.tif 000015
【図１４】
2010059636.tif 000016
【図１５】
2010059636.tif 000017
【図１６】
2010059636.tif 000018
【図１７】
2010059636.tif 000019
【図１８】
2010059636.tif 000020
【図１９】
2010059636.tif 000021